(57)【要約】【課題】生分解性プラスチックの従来の使用形態が、材質の置き換え程度であるということが課題であり、本発明は、生分解性プラスチックを利用して新しい植栽庭園を構築する方法や構築キットを提供することを目的とするものである。【解決手段】本発明では、生分解性プラスチック製の綿２により、多数により平面を敷き詰め可能な栽培床ユニット１を形成し、多数の前記栽培床ユニットに播種した植物を適宜生長させた後、栽培床ユニットを選択しながら平面に敷き詰めて所望の庭園を構成する植栽庭園の構築方法を提案している。【選択図】図４
2011135845.tif 000002
【特許請求の範囲】
【請求項１】
生分解性プラスチック製の綿により、多数により平面を敷き詰め可能な栽培床ユニットを形成し、多数の前記栽培床ユニットに播種した植物を適宜生長させた後、栽培床ユニットを選択しながら平面に敷き詰めて所望の庭園を構成することを特徴とする植栽庭園の構築方法。
【請求項２】
生分解性プラスチック製の綿により、多数により平面を敷き詰め可能に構成した多数の栽培床ユニットと、それらに播種する植物の種子と、多数の前記栽培床ユニットの敷き詰め形態の実例を示す印刷物等の媒体を組み合わせて構成した植栽庭園構築キット。
【発明の詳細な説明】
【技術分野】
【０００１】
本発明は植栽庭園の構築方法及び植栽庭園構築キットに関するものである。
【背景技術】
【０００２】
近来、廃棄物問題を生じないプラスチックとして、生分解性のプラスチックスが注目されており、植物の生育用としても利用されている。
【０００３】
例えば特許文献１には、レーヨン短繊維、ポリ乳酸系短繊維、脂肪族ポリエステル短繊維等の生分解性プラスチック繊維により構成された育苗用不織布が記載されている。またポリ乳酸系のプラスチック繊維として、例えばテラマック（登録商標）の不織布により構成された植樹用ポットや園芸シートが販売されている。
【０００４】
このように生分解性プラスチックは植物の生育用に広く使用されつつあるが、その使用形態は、上述したように、ポット状に形成したり、シート状に形成したりした使用形態であり、材質の置き換え程度に過ぎないとも云える。
【先行技術文献】
【特許文献】
【０００５】
【特許文献１】特許第２９４０６０８号公報
【発明の開示】
【発明が解決しようとする課題】
【０００６】
本発明が解決しようとする課題は、生分解性プラスチックの従来の使用形態が、材質の置き換え程度であるということであり、本発明は、生分解性プラスチックを利用して新しい植栽庭園を構築する方法を提供することを目的とするものである。
【課題を解決するための手段】
【０００７】
上述した課題を解決するために，本発明では、生分解性プラスチック製の綿により、多数により平面を敷き詰め可能な栽培床ユニットを形成し、多数の前記栽培床ユニットに播種した植物を適宜生長させた後、栽培床ユニットを選択しながら平面に敷き詰めて所望の庭園を構成する植栽庭園の構築方法を提案する。
【０００８】
また本発明では、生分解性プラスチック製の綿により、多数により平面を敷き詰め可能に構成した多数の栽培床ユニットと、それらに播種する植物の種子と、多数の前記栽培床ユニットの敷き詰め形態の実例を示す印刷物等の媒体を組み合わせて構成した植栽庭園構築キットを提案する。
【発明の効果】
【０００９】
本発明では、多数の前記栽培床ユニットに播種した植物を適宜生長させた後、栽培床ユニットを選択しながら平面に敷き詰めて庭園を構成するため、構成される植栽庭園は、例えば同じ色の花が咲く種類の植物に対応する栽培床ユニットを敷き詰めて構成したり、直線状又は曲線状に花の色の異なる領域が構成されるように栽培床ユニットを選択して構成したり、シーズン毎にトレンドの色を考慮して栽培床ユニットを選択して構成する等、適宜の形態の植栽庭園を構成することができる。
【００１０】
このように多数の栽培床ユニットを敷き詰めて構成された庭園は、例えば開花シーズン後に、少なくとも一部を他の栽培床ユニットと置き換えて構成することにより、シーズン毎に好適な庭園を構成することができる。
【００１１】
本発明では、多数の栽培床ユニットと、それらに播種する植物の種子、及び敷き詰め形態の例を示す印刷物等の媒体を一緒にして、植栽庭園構築キットとして提供することも可能であり、この場合には、専門家が特別にデザインした庭園の構築を、植栽庭園構築キットにより実現することもでき、よって、素人が手軽にプロのデザインに係る庭園の構築を図ることができる。
【図面の簡単な説明】
【００１２】
【図１】図１は本発明に係る栽培床ユニットを模式的に示す斜視図である。
【図２】図２は図１において播種した種子が発芽した状態を示すものである。
【図３】図３は多数の栽培床ユニットを敷き詰めて構成した植栽庭園の一例の一部を示す斜視図である。
【図４】図４は多数の栽培床ユニットを敷き詰めて構成した植栽庭園の他の例の一部を示す斜視図である。
【発明を実施するための形態】
【００１３】
次に、本発明の実施の形態を添付の図１〜図４を参照して説明する。
図において符号１は本発明に係る栽培床ユニットを概括的に示す斜視図であり、この栽培床ユニットは、生分解性プラスチック製の綿２により、多数により平面を敷き詰め可能に形成したものである。
【００１４】
多数により平面を敷き詰め可能な形状としては、正三角形、正方形、正六角形の正Ｎ角形とする他、適宜の形状の三角形、四角形、特殊な形状の５角形等を利用することができる。
【００１５】
以上の構成において、本発明では、多数の栽培床ユニット１につき、図１に示すように前記栽培床ユニット１に所望の植物の種子３を播種して適宜生長させ、例えば図２に示すように発芽させた後、多数の栽培床ユニット１を選択しながら、庭やベランダ等の所望の場所の所定範囲に敷き詰めて庭園、即ち植栽庭園を構成する。尚、符号４は発芽した芽を示すものである。
【００１６】
この際、庭園は、多数の栽培床ユニット１を選択しながら平面に敷き詰めて構成されるため、構成される庭園は、例えば図３に示すように同じ色の花が咲く種類の植物に対応する栽培床ユニット１を敷き詰めて構成したり、例えば図４に示すように直線状に花の色の異なる領域が構成されるように栽培床ユニット１を選択して構成したり、シーズン毎にトレンドの色を考慮して栽培床ユニットを選択して構成する等、適宜の形態の植栽庭園を構成することができる。尚、図４においては、芽４を黒塗りすることにより、その他との色の違いを模式的に示している。
【００１７】
このようにして本発明により、多数の栽培床ユニット１を敷き詰めて構成された庭園は、例えば開花シーズン後に、少なくとも一部を、他の栽培床ユニット１と置き換えて色等が異なる植物を置き換えることにより、シーズン毎に好適な庭園を構成することができる。
【００１８】
本発明では、多数の栽培床ユニット１と、それらに播種する植物の種子、及び敷き詰め形態の例を示す印刷物等の媒体を一緒にして、植栽庭園構築キットとして提供することも可能であり、この場合には、専門家が特別にデザインした庭園の構築を、植栽庭園構築キットにより実現することもでき、よって、素人が手軽にプロのデザインに係る庭園の構築を図ることができる。
【００１９】
尚、本発明に係る栽培床ユニット１を構成する生分解性プラスチックとしては、バイオマス由来のバイオプラスチックの他、場合によっては、石油由来の生分解性プラスチックを用いることもできる。
【符号の説明】
【００２０】
１              栽培床ユニット
２              生分解性プラスチック製の綿
３              植物の種子
４              植物の芽
【図１】
2011135845.tif 000003
【図２】
2011135845.tif 000004
【図３】
2011135845.tif 000005
【図４】
2011135845.tif 000006